(57)【要約】【課題】面積が広い貯水部でも、能率良く駆除できるようにする。【解決手段】貯水部Ｐの水中に生息しているユスリカ幼虫の駆除方法であって、長波長光の光源Ｌ１と短波長光の光源Ｌ２とを互いに離間させて貯水部に配置し、各光源の光を貯水部の水中に同時に照射することにより、短波長光の光源側に誘引されたユスリカ幼虫を駆除する。【選択図】図１
2008187918.tif 000002
【特許請求の範囲】
【請求項１】
貯水部の水中に生息しているユスリカ幼虫の駆除方法であって、
長波長光の光源と短波長光の光源とを互いに離間させて前記貯水部に配置し、
前記各光源の光を前記貯水部の水中に同時に照射することにより、前記短波長光の光源側に誘引されたユスリカ幼虫を駆除する駆除方法。
【請求項２】
前記長波長光は波長が５７０ｎｍ以上の光であり、前記短波長光は波長が５７０ｎｍ未満の光である請求項１記載の駆除方法。
【請求項３】
前記短波長光の光源側に誘引されたユスリカ幼虫を、前記貯水部の水中に投入した塩素剤で死滅させる請求項１又は２記載の駆除方法。
【請求項４】
前記短波長光の光源側に誘引されたユスリカ幼虫を、前記貯水部の水中に照射した紫外線で死滅させる請求項１又は２記載の駆除方法。
【請求項５】
前記短波長光の光源側に誘引されたユスリカ幼虫を、前記貯水部から取り除く請求項１〜４のいずれか１項記載の駆除方法。
【発明の詳細な説明】
【技術分野】
【０００１】
本発明は、貯水部の水中に生息しているユスリカ幼虫の駆除方法に関する。
【背景技術】
【０００２】
ユスリカとは、ハエ目ユスリカ科に属するハエの仲間の昆虫であり、川や池，遊泳用プールなどの貯水部の水中に大量に産卵して、大量の幼虫（ユスリカ幼虫）が水中で生育して動き回り、不快に感じる人が多い。
このようなユスリカの発生を防止するために、従来、卵や幼虫が貯水部の底面近くに生息している点に着目して、貯水部の底面を水中掃除機などで清掃したり、塩素系の薬剤を投入することにより、水中の卵や幼虫を駆除することが考えられている（周知慣用技術であり、適切な先行技術文献情報を開示できない。）。
【発明の開示】
【発明が解決しようとする課題】
【０００３】
このため、貯水部の底面を清掃する場合は、面積が広い貯水部ほど、駆除に手間と時間が掛かる欠点があり、また、塩素系の薬剤を投入する場合は、容量が大きい貯水部ほど大量の薬剤を投入する必要があるだけでなく、水中の遊離塩素濃度が増大し過ぎて所定の水質基準を維持できないおそれがある。
ちなみに、遊泳用プールの水質に関して、「厚生労働省健康局長通知遊泳用プールの衛星基準について」（健発第７７４号：２００１年７月２４日）によれば、「遊離残留塩素は、０．４ｍｇＣｌ2／Ｌ以上であること。また、１．０ｍｇＣｌ2／Ｌ以下であることが望ましい。」と規定されている。
そこで、遊離塩素がセスジユスリカの孵化率に及ぼす影響を調べるために、投入塩素量が１０ｍｇ／Ｌ，３０ｍｇ／Ｌ，５０ｍｇ／Ｌ，７５ｍｇ／Ｌ，１００ｍｇ／Ｌの５種類の生育試験溶液を作成して、各生育試験溶液毎に、セスジユスリカの卵塊１個を生育試験溶液と共にシャーレに入れて放置し、放置後の残卵数と孵化数とを実体顕微鏡を用いて計測し、また、放置後の遊離残留塩素濃度を計測した。
図５は孵化率計測結果を示し、図６は遊離残留塩素濃度計測結果を示している。
図５から、投入塩素量が５０ｍｇ／Ｌ以上であれば孵化率が略３０％以下であり、塩素剤の投入が有効であることが分かるが、図６から、放置後の遊離残留塩素濃度が１．０ｍｇ／Ｌを遙かに超えており、遊泳用プールにおけるユスリカの駆除方法としては適切ではないことが分かる。
本発明は上記実情に鑑みてなされたものであって、面積が広い貯水部でも、能率良く駆除できるようにすることを目的とする。
【課題を解決するための手段】
【０００４】
本発明の第１特徴構成は、貯水部の水中に生息しているユスリカ幼虫の駆除方法であって、長波長光の光源と短波長光の光源とを互いに離間させて前記貯水部に配置し、前記各光源の光を前記貯水部の水中に同時に照射することにより、前記短波長光の光源側に誘引されたユスリカ幼虫を駆除する点にある。
【０００５】
〔作用及び効果〕
後述するように、長波長光と短波長光とを水中に同時に照射すると、水中に生息しているユスリカ幼虫が長波長光を忌避し、長波長光よりも波長が短い短波長光に誘引されるという新知見に基づき、長波長光の光源と短波長光の光源とを互いに離間させて貯水部に配置し、各光源の光を貯水部の水中に同時に照射することにより、短波長光の光源側に誘引されたユスリカ幼虫を駆除するのである。
従って、面積が広い貯水部でも、ユスリカ幼虫を短波長光の光源側に集めて、その集まったユスリカ幼虫を能率良く駆除できる。
【０００６】
本発明の第２特徴構成は、前記長波長光は波長が５７０ｎｍ以上の光であり、前記短波長光は波長が５７０ｎｍ未満の光である点にある。
【０００７】
〔作用及び効果〕
波長が５７０ｎｍ以上の光は、黄色〜赤色の可視光及び赤外線光であり、波長が５７０ｎｍ未満の光は、緑色〜青紫の可視光及び紫外線光であり、ユスリカ幼虫が忌避する波長が５７０ｎｍ以上の長波長光と、ユスリカ幼虫が誘引され易い波長が５７０ｎｍ未満の短波長光とを同時に照射することにより、水中のユスリカ幼虫を短波長光の光源側に積極的に誘引して効率良く集め易い。
【０００８】
本発明の第３特徴構成は、前記短波長光の光源側に誘引されたユスリカ幼虫を、前記貯水部の水中に投入した塩素剤で死滅させる点にある。
【０００９】
〔作用及び効果〕
短波長光の光源側に誘引されて集まったユスリカ幼虫を、集中的に貯水部の水中に投入した塩素剤で死滅させるので、全体の水質の残留塩素濃度を高め過ぎることなく、ユスリカ幼虫を水中から特に取り除くことなく、ユスリカの発生を防止できる。
【００１０】
本発明の第４特徴構成は、前記短波長光の光源側に誘引されたユスリカ幼虫を、前記貯水部の水中に照射した紫外線で死滅させる点にある。
【００１１】
〔作用及び効果〕
短波長光の光源側に誘引されて集まったユスリカ幼虫を、貯水部の水中に照射した紫外線で死滅させるので、ユスリカ幼虫を水中から特に取り除くことなく、効率良くユスリカの発生を防止できるとともに、塩素剤を投入して死滅させるような場合に比べて、水質が変化してしまうおそれが無く、所定の水質基準を維持する必要がある場合に有効である。
【００１２】
本発明の第５特徴構成は、前記短波長光の光源側に誘引されたユスリカ幼虫を、前記貯水部から取り除く点にある。
【００１３】
〔作用及び効果〕
短波長光の光源側に誘引されて集まったユスリカ幼虫を貯水部から取り除くので、ユスリカ幼虫そのものの存在確率が減少して、貯水部が遊泳用プールの場合に、特に遊泳者に不快感を与えるおそれが少ない。
【発明を実施するための最良の形態】
【００１４】
以下に本発明の実施の形態を図面に基づいて説明する。
〔第１実施形態〕
図１は、貯水部としての平面視で矩形の遊泳用の屋内温水プールＰを示し、水Ｗを貯めた温水プールＰの水中に生息しているユスリカ幼虫の本発明による駆除方法を説明する。
【００１５】
長波長光を発光する第１光源Ｌ１と、その長波長光よりも波長が短い短波長光を発光する第２光源Ｌ２とを互いに離間させて温水プールＰに配置する。
【００１６】
つまり、温水プールＰの互いに対向する一対の側壁１ａ，１ｂのうちの、一方の側壁１ａ側の水中には、長波長光の第１光源としての超光輝の第１ＬＥＤ照射装置Ｌ１を配置し、他方の側壁１ｂ側の水中には、短波長光の第２光源としての超光輝の第２ＬＥＤ照射装置Ｌ２を配置する。
【００１７】
そして、室内の照明を消した暗闇状態で、第１ＬＥＤ照射装置Ｌ１で波長が６１０〜７８０ｎｍの範囲内の赤色光を、また、第２ＬＥＤ照射装置Ｌ２で波長が４３０〜４６０ｎｍの範囲内の青色光、又は、波長が５００〜５７０ｎｍの範囲内の緑色光、又は、波長が３８０〜４３０ｎｍの範囲内の紫色光を所定時間に亘って同時に水中に照射することにより、第２ＬＥＤ照射装置Ｌ２側に誘引されて集まったユスリカ幼虫を、水中掃除機などで吸引して、温水プールＰから取り除くことにより駆除する。
【００１８】
この場合、第２ＬＥＤ照射装置Ｌ２側に誘引されて集まったユスリカ幼虫を、水中に照射した紫外線で死滅させてから、その死骸を水中掃除機などで吸引して、温水プールＰから取り除いても良い。
【００１９】
尚、第１ＬＥＤ照射装置Ｌ１で波長が５００〜５７０ｎｍの範囲内の緑色光を、また、第２ＬＥＤ照射装置Ｌ２で波長が４３０〜４６０ｎｍの範囲内の青色光を所定時間に亘って同時に水中に照射しても良い。
【００２０】
〔第２実施形態〕
図示しないが、平面視形状が矩形以外の遊泳用プールや池などの貯水部Ｐの水中に生息しているユスリカ幼虫を駆除する場合は、貯水部Ｐの水面に沿った方向で対向する二箇所において、一方に長波長光の第１光源Ｌ１を配置し、他方に短波長光の第２光源Ｌ２を配置して実施できる。
【００２１】
〔その他の実施形態〕
１．本発明によるユスリカ幼虫の駆除方法は、遊泳用プールや池以外に、河川や用水，水槽などの貯水部の水中に生息しているユスリカ幼虫を駆除するために使用しても良い。
２．本発明によるユスリカ幼虫の駆除方法は、長波長光の光源と短波長光の光源とを互いに離間させて貯水部の水面上に配置して実施しても良い。
３．本発明によるユスリカ幼虫の駆除方法は、貯水部の水質基準を維持できる場合は、短波長光の光源側に誘引されて集まったユスリカ幼虫を、貯水部の水中に塩素剤を投入して死滅させても良く、死滅させたユスリカ幼虫の死骸を水中掃除機などで吸引して、貯水部から取り除いても良い。
４．本発明によるユスリカ幼虫の駆除方法は、第１〜第４齢期のいずれの齢期のユスリカ幼虫を駆除するために使用しても良い。
【実施例１】
【００２２】
本発明によるユスリカ幼虫の駆除方法の有効性を確認するために、図２に示すように、貯水部Ｐを模した試験容器（縦21.0cm×横3.5cm ×高さ1.0cm ）２に水Ｗを入れ、その水中にセスジユスリカの幼虫Ｙを生息させて、超光輝ＬＥＤ照射装置による光照射環境下におけるユスリカ幼虫の走光反応を調べる試験を実施した。
【００２３】
［試験方法］
水Ｗを入れた試験容器２の長手方向中央における水中に筒状の囲い３を設置し、その試験容器２の上を透明のアクリル樹脂板４で覆っておく。
このアクリル樹脂板４は、その両端部に形成してある貫通孔に第１ＬＥＤランプＡと、第２ＬＥＤランプＢとを夫々臨ませてあり、長手方向中央部には操作用貫通孔５を形成してある。
【００２４】
そして、３０匹のユスリカ幼虫を、操作用貫通孔５を通して囲い３の内側に投入した後、囲い３を操作用貫通孔５を通して取り除き、第１ＬＥＤランプＡを点灯せずに第２ＬＥＤランプＢのみを暗室内で点灯した場合と、発光色が互いに異なる第１ＬＥＤランプＡと第２ＬＥＤランプＢとを暗室内で同時に点灯した場合との夫々について、ＬＥＤランプＡ，Ｂの光を水中に１時間照射して、ユスリカ幼虫Ｙの走光反応を観察し、予め区画してある領域毎にユスリカ幼虫Ｙの数をカウントした。
【００２５】
前記第１，第２ＬＥＤランプＡ，Ｂとして、赤色光（波長６２５ｎｍ）を発光するＬＥＤランプと、緑色光（波長５３０ｎｍ）を発光するＬＥＤランプと、青色光（波長４７０ｎｍ）を発光するＬＥＤランプと、紫色光（波長３９５〜４０５ｎｍ）を発光するＬＥＤランプとを使用した。
【００２６】
前記第２ＬＥＤランプＢのみを暗室内で点灯した場合として、４齢期のユスリカ幼虫Ｙを対象にして、赤色光を照射した場合と、青色光を照射した場合との夫々について試験を行った。
【００２７】
前記第１，第２ＬＥＤランプＡ，Ｂを暗室内で同時に点灯した場合として、２齢期のユスリカ幼虫Ｙを対象にして、第１ＬＥＤランプＡで赤色光を照射し、かつ、第２ＬＥＤランプＢで紫色光を照射する組み合わせについて試験を行い、また、４齢期のユスリカ幼虫Ｙを対象にして、第１ＬＥＤランプＡで赤色光を照射し、かつ、第２ＬＥＤランプＢで青色光を照射する組み合わせと、第１ＬＥＤランプＡで赤色光を照射し、かつ、第２ＬＥＤランプＢで緑色光を照射する組み合わせと、第１ＬＥＤランプＡで青色光を照射し、かつ、第２ＬＥＤランプＢで緑色光を照射する組み合わせとの夫々について試験を行った。
【００２８】
図３，図４は、第１ＬＥＤランプＡの照射光（Ａ光）を基準にした時の、百分率相関法によるセスジユスリカ幼虫Ｙの走光反応を示し、図３は２齢期のユスリカ幼虫Ｙを対象とした場合を示し、図４は４齢期のユスリカ幼虫Ｙを対象とした場合を示し、いずれも、５０％を越えれば５％危険率で有意であることを示す。
【００２９】
図３から、２齢期のユスリカ幼虫Ｙについては、赤色光に対する忌避性と、紫色光に対する誘引性とを確認することができる。
【００３０】
また、図４から、４齢期のユスリカ幼虫Ｙについては、第２ＬＥＤランプＡの照射光（Ｂ光）のみを照射した試験結果から、赤色光に対する忌避性と青色光に対する誘引性と確認することができ、第１ＬＥＤランプＡの照射光（Ａ光）と第２ＬＥＤランプＢの照射光（Ｂ光）との組み合わせでは、赤色光に対する忌避性と、青色光に対する誘引性がより顕著であり、赤色光と緑色光との組み合わせでは緑色光に明らかな誘引性が見られ、青色光と緑色光との組み合わせでは青色光に誘引性が見られる。
【００３１】
従って、赤色光，緑色光，青色光間の誘引性は、青色光、緑色光、赤色光の順に強くなると考えられ、特に、４齢期のユスリカ幼虫Ｙについては、より短波長光に対して強い誘引性を示すものと推察でき、長波長光と短波長光とを水中に同時に照射すると、水中に生息しているユスリカ幼虫が長波長光を忌避し、長波長光よりも波長が短い短波長光に誘引されることが分かる。
【図面の簡単な説明】
【００３２】
【図１】本発明によるユスリカ幼虫の駆除方法の説明図
【図２】試験方法の説明図
【図３】百分率相関法による２齢期ユスリカ幼虫の走光反応を示す図表
【図４】百分率相関法による４齢期ユスリカ幼虫の走光反応を示す図表
【図５】孵化率計測結果を示す図表
【図６】塩素濃度計測結果を示す図表
【符号の説明】
【００３３】
Ｌ１  長波長光の光源
Ｌ２  短波長光の光源
Ｐ  貯水部
Ｙ  ユスリカ幼虫
【図１】
2008187918.tif 000003
【図２】
2008187918.tif 000004
【図３】
2008187918.tif 000005
【図４】
2008187918.tif 000006
【図５】
2008187918.tif 000007
【図６】
2008187918.tif 000008